(57)【要約】【課題】主に各種電子機器の操作に使用される入力装置、及びこれを用いた電子機器に関し、誤字入力がなく、容易に操作が可能なものを提供することを目的とする。【解決手段】制御手段１３がタッチパネル８への指の近接に応じて位置信号を、指の接触に応じて軌跡信号を出力すると共に、表示手段３５に指の位置表示３７と軌跡表示を表示することによって、タッチパネル８に指を近接させると、表示手段３５に指の位置表示３７が行われ、タッチパネル８を見なくとも指の位置が判別できるため、手書き入力時に途中で指を離した場合でも誤字入力が生じづらく、容易に操作が可能な入力装置１７、及びこれを用いた電子機器を得ることができる。【選択図】図１
2013058125.tif 000002
【特許請求の範囲】
【請求項１】
所定方向に配列された略帯状で複数の上導電層、及びこの上導電層と直交方向に所定の間隙を空けて配列された略帯状で複数の下導電層から形成されたタッチパネルと、このタッチパネルに接続された制御手段からなり、上記制御手段が上記タッチパネルへの指の近接に応じて位置信号を、指の接触に応じて軌跡信号を出力する入力装置。
【請求項２】
請求項１記載の入力装置と、表示手段からなり、上記入力装置の制御手段からの位置信号と軌跡信号に応じて、上記表示手段に指の位置表示と軌跡表示を表示する電子機器。
【発明の詳細な説明】
【技術分野】
【０００１】
本発明は、主に各種電子機器の操作に使用される入力装置、及びこれを用いた電子機器に関するものである。
【背景技術】
【０００２】
近年、テレビやパーソナルコンピュータ等の各種電子機器の高機能化や多様化が進むなか、これらに装着されたタッチパネル等を指で操作して、文字等の手書き入力を行うものが増えており、使い易く、容易に操作が可能なものが求められている。
【０００３】
このような従来の入力装置や電子機器について、図６及び図７を用いて説明する。
【０００４】
図７は従来の電子機器の斜視図であり、同図において、３０はリモコン送信機で、絶縁樹脂製のケース３１の上面には複数の操作キー３２や、静電容量方式のタッチパネル３３が設けられると共に、これらがケース３１内に収納された配線基板（図示せず）に形成された、マイコン等の制御手段（図示せず）に電気的に接続されて、入力装置が形成されている。
【０００５】
また、３４はテレビ等の映像機器で、この前面には液晶表示素子等の表示手段３５が形成されると共に、この映像機器３４とリモコン送信機３０によって電子機器が構成されている。
【０００６】
以上の構成において、リモコン送信機３０を映像機器３４に向けて、指で所定の操作キー３２を押圧操作すると、ケース３１内のスイッチ接点（図示せず）の電気的接離が行われ、これに応じて制御手段が所定のリモコン信号を映像機器３４へ送信し、例えば、映像機器３４の電源の入／切や音量の増減等が遠隔操作によって行われる。
【０００７】
また、図６（ａ）の正面図に示すように、映像機器３４の表示手段３５に、入力部３５Ａや選択部３５Ｂ、確定部３５Ｃ等の手書き入力用のメニューが表示された状態で、リモコン送信機３０のタッチパネル３３上面に指を触れ、例えば文字「Ｐ」を描くように指を摺動操作すると、この操作した箇所の静電容量が変化するため、これによって指の軌跡を制御手段が検出する。
【０００８】
そして、この指の摺動操作に応じたリモコン信号を、制御手段が映像機器３４へ送信し、表示手段３５の入力部３５Ａに文字「Ｐ」が表示されると共に、選択部３５Ｂには「Ｐ」に字体が類似した「ｐ」や「Ｐ」、「Ｆ」等の文字や、カーソル３６が表示される。
【０００９】
また、この状態で、カーソル移動用の操作キー３２を押圧操作すると、これに応じて制御手段がリモコン信号を送信し、図６（ｂ）に示すように、カーソル３６が選択部３５Ｂ内を移動して、所望の文字「Ｐ」が選択される。
【００１０】
さらに、この状態で、確定用の操作キー３２を押圧操作すると、同じくリモコン信号が送信され、図６（ｃ）に示すように、確定部３５Ｃに「Ｐ」が表示されて、文字「Ｐ」の手書き入力が行われる。
【００１１】
つまり、リモコン送信機３０の複数の操作キー３２の押圧操作によって、映像機器３４の電源の入／切や音量の増減等の遠隔操作を行うと共に、タッチパネル３３に指を触れ摺動操作することによって、所望の文字の手書き入力を、遠隔操作によって行うことができるように構成されているものであった。
【００１２】
なお、この出願の発明に関連する先行技術文献情報としては、例えば、特許文献１が知られている。
【先行技術文献】
【特許文献】
【００１３】
【特許文献１】特開２０１０−６２６０７号公報
【発明の概要】
【発明が解決しようとする課題】
【００１４】
しかしながら、上記従来のリモコン送信機３０や電子機器においては、タッチパネル３３を摺動操作して手書き入力を行う際、タッチパネル３３に接触させた指を見ながら文字等を描く必要があるため、操作が煩雑であると共に、途中で指を離し再度手書き入力を行う場合には、誤字入力等が生じ易くなってしまうという課題があった。
【００１５】
本発明は、このような従来の課題を解決するものであり、誤字入力がなく、容易に操作が可能な入力装置、及びこれを用いた電子機器を提供することを目的とする。
【課題を解決するための手段】
【００１６】
上記目的を達成するために本発明は、入力装置の制御手段がタッチパネルへの指の近接に応じて位置信号を、指の接触に応じて軌跡信号を出力すると共に、表示手段に指の位置表示と軌跡表示を表示するようにして電子機器を構成したものであり、タッチパネルに指を近接させると、表示手段に指の位置表示が行われ、タッチパネルを見なくとも指の位置が判別できるため、手書き入力時に途中で指を離した場合でも誤字入力が生じづらく、容易に操作が可能な入力装置、及びこれを用いた電子機器を得ることができるという作用を有するものである。
【発明の効果】
【００１７】
以上のように本発明によれば、誤字入力がなく、容易に操作が可能な入力装置、及びこれを用いた電子機器を実現できるという有利な効果が得られる。
【図面の簡単な説明】
【００１８】
【図１】本発明の一実施の形態による入力装置のブロック回路図
【図２】同電子機器の斜視図
【図３】同電子機器の正面図
【図４】同電子機器の正面図
【図５】同電子機器の斜視図
【図６】電子機器の正面図
【図７】従来の電子機器の斜視図
【発明を実施するための形態】
【００１９】
以下、本発明の実施の形態について、図１〜図６を用いて説明する。
【００２０】
なお、背景技術の項で説明した構成と同一構成の部分には同一符号を付して、詳細な説明を簡略化する。
【００２１】
（実施の形態）
図１は本発明の一実施の形態による入力装置のブロック回路図、図２は同電子機器の斜視図であり、同図において、１はポリエチレンテレフタレートやポリエーテルサルホン、ポリカーボネート等のフィルム状で光透過性の上基板で、上面には酸化インジウム錫や酸化錫等の光透過性で略帯状の、複数の上導電層２が前後方向に配列形成されると共に、この上導電層２の前端または後端に連結され、端部が上基板１の外周右端に延出する銅箔製の複数の上電極３が、上導電層２とは直交方向の左右方向に延出形成されている。
【００２２】
また、４は同じくフィルム状で光透過性の下基板で、上面には酸化インジウム錫や酸化錫等の光透過性で略帯状の複数の下導電層５が、上導電層２とは直交方向の左右方向に配列形成されると共に、この下導電層５右端に連結され端部が下基板４の外周右端に延出する、上電極３と同様の複数の下電極６が、下導電層５と平行方向の左右方向に延出形成されている。
【００２３】
そして、この複数の上導電層２と下導電層５は、複数の方形部が帯状に連結されて形成されると共に、これらの間には、略方形の複数の空隙部が設けられ、上基板１と下基板４が積重された状態では、各々の方形部が各々の空隙部に上下で交互に重なるように形成されている。
【００２４】
さらに、７はフィルム状で光透過性のカバー基板で、下基板４上面に上基板１、上基板１上面にカバー基板７が重ねられると共に、これらが各々アクリルやシリコーン等の接着剤（図示せず）等によって貼り合わされて、タッチパネル８が構成されている。
【００２５】
つまり、本実施の形態においては、前後方向に配列形成された複数の上導電層２と、これとは直交方向の左右方向に配列形成された下導電層５が、上基板１やこの下面の接着剤を介して、所定の間隙を空けて対向配置された構成となっている。
【００２６】
また、１０はリモコン送信機で、略箱状でポリスチレンやＡＢＳ等の絶縁樹脂製のケース１１の上面に、タッチパネル８が装着されると共に、ケース１１上面の複数の開口孔からは、ゴムやエラストマー等の複数の操作キー１２が上下動可能に突出している。
【００２７】
そして、ケース１１内には、上下面に複数の配線パターンが形成された配線基板（図示せず）が収納されると共に、この配線基板上面には操作キー１２の上下動によって電気的接離を行う、複数のスイッチ接点（図示せず）が形成されている。
【００２８】
さらに、配線基板にはマイコン等の制御手段１３や、アンテナ等の送信手段１４や受信手段１５が形成されると共に、タッチパネル８の複数の上電極３と下電極６、複数のスイッチ接点、送信手段１４や受信手段１５が配線パターンやフィルム状のフレキ基板（図示せず）等を介して、制御手段１３に電気的に接続されて、入力装置１７が形成されている。
【００２９】
また、３４はテレビ等の映像機器で、この前面には液晶表示素子等の表示手段３５が形成されると共に、この映像機器３４とリモコン送信機１０によって電子機器が構成されている。
【００３０】
以上の構成において、リモコン送信機１０を映像機器３４に向けて、指で所定の操作キー１２を押圧操作すると、ケース１１内のスイッチ接点の電気的接離が行われ、これに応じて制御手段１３が送信手段１４から、所定の電波のリモコン信号を映像機器３４へ送信し、例えば、映像機器３４の電源の入／切や音量の増減等が遠隔操作によって行われる。
【００３１】
また、図６（ａ）の正面図に示すように、映像機器３４の表示手段３５に、入力部３５Ａや選択部３５Ｂ、確定部３５Ｃ等の手書き入力用のメニューが表示された状態で、リモコン送信機１０のタッチパネル８上面に指を触れ、例えば文字「Ｐ」を描くように指を摺動操作すると、この操作した箇所の上導電層２と下導電層５の間の静電容量が変化するため、これによって指の軌跡を制御手段１３が検出する。
【００３２】
そして、指の摺動操作に応じた軌跡信号が制御手段１３から出力され、この軌跡信号が送信手段１４からリモコン信号として映像機器３４へ送信されて、表示手段３５の入力部３５Ａに文字「Ｐ」の軌跡表示が表示されると共に、選択部３５Ｂには「Ｐ」に字体が類似した「ｐ」や「Ｐ」、「Ｆ」等の文字や、カーソル３６が表示される。
【００３３】
さらに、この状態で、カーソル移動用の操作キー１２を押圧操作すると、これに応じて制御手段１３がリモコン信号を送信し、図６（ｂ）に示すように、カーソル３６が選択部３５Ｂ内を移動して、所望の文字「Ｐ」が選択される。
【００３４】
そして、この状態で、確定用の操作キー１２を押圧操作すると、同じくリモコン送信機１０からリモコン信号が送信され、図６（ｃ）に示すように、確定部３５Ｃに「Ｐ」が表示されて、文字「Ｐ」の手書き入力が行われる。
【００３５】
また、続けて文字「Ａ」を手書き入力するために、タッチパネル８上面に指を触れ、先ず「Ａ」の一部の「∧」を描くように摺動操作すると、この操作した箇所の静電容量の変化によって指の軌跡を制御手段１３が検出し、この軌跡信号が制御手段１３から出力されて、送信手段１４からリモコン信号として映像機器３４へ送信される。
【００３６】
したがって、図３（ａ）の正面図に示すように、表示手段３５の入力部３５Ａには文字「Ａ」ではなく「∧」の軌跡表示が表示されると共に、選択部３５Ｂには、「Ａ」ではなく「∧」に字体が類似した「へ」や「∧」等の文字や、カーソル３６が表示される。
【００３７】
このため、いったん指をタッチパネル８から離した後、「Ａ」の一部の「−」を続けて描くために、再び指を近づけると、この指の近接によってタッチパネル８の操作しようとする箇所の、上導電層２と下導電層５の間の静電容量が、上記の指が触れた場合とは異なる値に変化するため、これを制御手段１３が検出して、上記の軌跡信号とは異なる位置信号が制御手段１３から出力される。
【００３８】
そして、この位置信号が送信手段１４からリモコン信号として映像機器３４へ送信されると、表示手段３５の入力部３５Ａには、例えば指がタッチパネル８上の右側にある場合には、図３（ｂ）に示すように右側に、左側にある場合には図３（ｃ）に示すように左側に、タッチパネル８上の指の近接した位置を示す、例えば矢印状の位置表示３７が表示される。
【００３９】
つまり、タッチパネル８に指を接触させて摺動操作した場合には、この指の軌跡を制御手段１３が検出して軌跡信号が出力され、表示手段３５の入力部３５Ａに「∧」の軌跡表示が表示されるが、指をタッチパネル８に近接させた場合には、軌跡信号とは異なる位置信号が制御手段１３から出力され、指がタッチパネル８上のどの位置にあるのかを示す、位置表示３７が入力部３５Ａに表示される。
【００４０】
そして、この位置表示３７に基づいて、指を再びタッチパネル８に接触させ、「Ａ」の一部の「−」を描くように摺動操作すると、この静電容量の変化を制御手段１３が検出して軌跡信号が出力され、送信手段１４からリモコン信号が送信されて、図４（ａ）の正面図に示すように、表示手段３５の入力部３５Ａに文字「Ａ」の軌跡表示が表示されると共に、選択部３５Ｂには「Ａ」に字体が類似した「Ａ」や「△」、「∧」等の文字や、カーソル３６が表示される。
【００４１】
なお、この状態では、選択部３５Ｂのカーソル３６が所望の文字「Ａ」にあり、カーソル３６を移動させる必要がないため、確定用の操作キー１２を押圧操作すると、これに応じて制御手段１３がリモコン信号を送信し、図４（ｂ）に示すように、確定部３５Ｃに「Ｐ」に並んで「Ａ」が表示されて、文字「Ａ」の手書き入力が終了する。
【００４２】
つまり、リモコン送信機１０の複数の操作キー１２の押圧操作によって、映像機器３４の電源の入／切や音量の増減等の遠隔操作を行うと共に、タッチパネル８に指を触れ摺動操作することによって、所望の文字の手書き入力を、遠隔操作によって行うことができるように構成されている。
【００４３】
また、この時、入力装置１７の制御手段１３が、タッチパネル８に指を接触させて摺動操作した場合には、この指の軌跡を検出して軌跡信号を出力し、図６（ａ）や図３（ａ）に示すように、表示手段３５の入力部３５Ａに「Ｐ」や「∧」の軌跡表示が表示されると共に、指をタッチパネル８に近接させた場合には、制御手段１３がこれを検出して、軌跡信号とは異なる位置信号を出力し、図３（ｂ）や図３（ｃ）に示すように、指の位置を示す位置表示３７が入力部３５Ａに表示されることで、誤字入力がなく、手書き入力操作を容易に行えるようになっている。
【００４４】
すなわち、タッチパネル８に指を近接させると、表示手段３５に指の位置表示３７が行われ、タッチパネル８を見なくとも、指がタッチパネル８のどの位置にあるのかが判別できるため、タッチパネル８を摺動操作して手書き入力を行う際や、あるいは、いったんタッチパネル８から指を離し再度手書き入力を行う場合にも、都度タッチパネル８や指を見て位置を確認する必要がなく、表示手段３５だけを見ながら、容易に手書き入力操作を行うことが可能なように構成されている。
【００４５】
なお、以上の説明では、操作キー１２の押圧操作やタッチパネル８の摺動操作等に応じて、制御手段１３がアンテナ等の送信手段１４から、電波のリモコン信号を映像機器３４へ送信する構成について説明したが、送信手段１４を発光ダイオード等で形成し、赤外線によって映像機器３４を遠隔操作する構成や、あるいは、受信手段１５を用いて映像機器３４と双方向に通信する構成としても、本発明の実施は可能である。
【００４６】
また、以上の説明では、リモコン送信機１０に入力装置１７を形成し、この操作キー１２やタッチパネル８を操作して、映像機器３４を遠隔操作する電子機器について説明したが、図５の斜視図に示すように、固定筐体４０に開閉可能に装着された可動筐体４１の液晶表示素子等の表示手段３５を見ながら、固定筐体４０上面の複数の操作キー１２やタッチパネル８を操作する、パーソナルコンピュータ等の電子機器においても、本発明の実施は可能である。
【００４７】
さらに、上面に上導電層２が形成されたフィルム状の上基板１と、同じく下導電層５が形成された下基板４を貼り合わせて、タッチパネル８を形成した構成について説明したが、紙フェノールやガラス入りエポキシ等の薄板に、例えば３枚の薄板に銅箔等によって複数の上導電層２や下導電層５、上電極３や下電極６を形成し、これらを積層すると共に、銀等のスルーホールによってこれらを接続した、いわゆる多層配線基板を用いてタッチパネルを形成した構成としてもよい。
【００４８】
このように本実施の形態によれば、制御手段１３がタッチパネル８への指の近接に応じて位置信号を、指の接触に応じて軌跡信号を出力すると共に、表示手段３５に指の位置表示３７と軌跡表示を表示することによって、タッチパネル８に指を近接させると、表示手段３５に指の位置表示３７が行われ、タッチパネル８を見なくとも指の位置が判別できるため、手書き入力時に途中で指を離した場合でも誤字入力が生じづらく、容易に操作が可能な入力装置１７、及びこれを用いた電子機器を得ることができるものである。
【産業上の利用可能性】
【００４９】
本発明による入力装置及びこれを用いた電子機器は、誤字入力がなく、容易に操作が可能なものを得ることができるという有利な効果を有し、主に各種電子機器の操作用として有用である。
【符号の説明】
【００５０】
１  上基板
２  上導電層
３  上電極
４  下基板
５  下導電層
６  下電極
７  カバー基板
８  タッチパネル
１０  リモコン送信機
１１  ケース
１２  操作キー
１３  制御手段
１４  送信手段
１５  受信手段
１７  入力装置
３４  映像機器
３５  表示手段
３５Ａ  入力部
３５Ｂ  選択部
３５Ｃ  確定部
３６  カーソル
３７  位置表示
４０  固定筐体
４１  可動筐体
【図１】
2013058125.tif 000003
【図２】
2013058125.tif 000004
【図３】
2013058125.tif 000005
【図４】
2013058125.tif 000006
【図５】
2013058125.tif 000007
【図６】
2013058125.tif 000008
【図７】
2013058125.tif 000009